(57)【要約】【課題】ディスク装置本体のディスクトレイの前方側に高さ方向の位置決めのためのリブ部が設けられた構造を有する場合に、部品点数の増加および構造の複雑化を抑制しながら、ディスク装置付き表示装置の高さを小さくすることが可能なディスク装置付き表示装置を提供する。【解決手段】このＤＶＤ一体型テレビジョン１（ディスク装置付き表示装置）は、防爆バンド４ｄが巻き付けられるＣＲＴ４と、ディスクトレイ７ａと、ＤＶＤ駆動装置本体部７ｂとを含むＤＶＤ駆動装置７とを備える。そして、ＤＶＤ駆動装置本体部７ｂは、ディスクトレイ７ａの前方側に設けられて上方に突出するとともに、ＣＲＴ４との高さ方向の位置決め部として機能するリブ部７ｆを含む。また、リブ部７ｆは、ＣＲＴ４の下端部に位置する防爆バンド４ｄよりも距離Ｌ１だけ後方に配置される。また、リブ部７ｆの上端部は、防爆バンド４ｄの下端部よりも高い位置に配置される。【選択図】図５
0003120055.tif 000002
【実用新案登録請求の範囲】
【請求項１】
補強バンドが巻き付けられる陰極線管と、前記陰極線管の下方に配置され、ディスクが載置されるとともに、水平方向に移動可能なディスクトレイと、前記ディスクトレイに載置されたディスクを回転駆動するディスク装置本体とを含むディスク装置と、前記陰極線管が取り付けられる前側筐体と、前記前側筐体に取り付けられる後側筐体と、前記ディスク装置を支持する保持部材とを備えたディスク装置付き表示装置において、
前記ディスク装置本体は、前記ディスクトレイの前方側に設けられて上方に突出するとともに、前記陰極線管との高さ方向の位置決め部として機能するリブ部を含み、
前記前側筐体および前記後側筐体の底面には、それぞれ、レール部が形成され、
前記保持部材には、前記前側筐体および後側筐体のレール部に、それぞれ、係合されるレール係合部が形成され、
前記保持部材のレール係合部が前記前側筐体および後側筐体のレール部に係合された状態で、前記後側筐体を前記前側筐体に取り付けることにより、前記保持部材に支持される前記ディスク装置のリブ部が前記陰極線管の下端部に位置する前記補強バンドよりも後方に配置され、
前記ディスク装置本体のリブ部の上端部は、前記補強バンドの下端部よりも高い位置に配置され、
前記補強バンドは、金属製であるとともに、前記陰極線管を前記前側筐体に取り付けるための取付部が一体的に形成されている、ディスク装置付き表示装置。
【請求項２】
補強バンドが巻き付けられる陰極線管と、
前記陰極線管の下方に配置され、ディスクが載置されるとともに、水平方向に移動可能なディスクトレイと、前記ディスクトレイに載置されたディスクを回転駆動するディスク装置本体とを含むディスク装置とを備え、
前記ディスク装置本体は、前記ディスクトレイの前方側に設けられて上方に突出するとともに、前記陰極線管との高さ方向の位置決め部として機能するリブ部を含み、
前記ディスク装置本体のリブ部は、前記陰極線管の下端部に位置する前記補強バンドよりも後方に配置される、ディスク装置付き表示装置。
【請求項３】
前記ディスク装置本体のリブ部の上端部は、前記補強バンドの下端部よりも高い位置に配置される、請求項２に記載のディスク装置付き表示装置。
【請求項４】
前記陰極線管が取り付けられる前側筐体と、
前記前側筐体に取り付けられる後側筐体と、
前記ディスク装置を支持する保持部材とをさらに備え、
前記前側筐体および前記後側筐体には、それぞれ、レール部が形成され、
前記保持部材には、前記前側筐体および後側筐体のレール部に、それぞれ、係合されるレール係合部が形成され、
前記保持部材のレール係合部が前記前側筐体および後側筐体のレール部に係合された状態で、前記後側筐体を前記前側筐体に取り付けることにより、前記保持部材に支持される前記ディスク装置のリブ部が前記陰極線管の下端部に位置する前記補強バンドよりも後方に配置される、請求項２または３に記載のディスク装置付き表示装置。
【請求項５】
前記前側筐体および後側筐体のレール部は、前記前側筐体および前記後側筐体の底面に形成されている、請求項４に記載のディスク装置付き表示装置。
【請求項６】
前記補強バンドは、金属製であるとともに、前記陰極線管を前記前側筐体に取り付けるための取付部が一体的に形成されている、請求項４または５に記載のディスク装置付き表示装置。
【考案の詳細な説明】
【技術分野】
【０００１】
本考案は、ディスク装置付き表示装置に関し、特に、陰極線管を備えたディスク装置付き表示装置に関する。
【背景技術】
【０００２】
従来、ディスク装置などの映像再生装置付きの表示装置が知られている（たとえば、特許文献１および２参照）。上記特許文献１および２には、ＣＲＴ（ＣＡＴＨＯＤＥ  ＲＡＹ  ＴＵＢＥ：陰極線管）の下方に映像再生装置としてビデオテープレコーダー（ＶＴＲ）が配置された表示装置が開示されている。また、従来では、ＶＴＲを陰極線管の後方側の空きスペースに配置するＶＴＲ内蔵テレビジョン装置（映像再生装置付きの表示装置）が知られている（たとえば、特許文献３参照）。この上記特許文献３に開示されたＶＴＲ内蔵テレビジョン装置では、ＶＴＲ挿入部から挿入されたカセットテープが搬送手段によりＶＴＲメカ本体部まで搬送される。また、従来、ＤＶＤ（デジタル多用途ディスク）一体型テレビジョン（ディスク装置付き表示装置）も知られている（たとえば、特許文献４参照）。
【０００３】
図６は、従来のＤＶＤ一体型テレビジョンの全体構成を示した斜視図である。また、図７は、図６に示した従来のＤＶＤ一体型テレビジョンの模式図である。図６および図７を参照して、従来のＤＶＤ一体型テレビジョンの構造について説明する。
【０００４】
従来のＤＶＤ一体型テレビジョン１０１は、図６および図７に示すように、ＤＶＤ一体型テレビジョン１０１の外枠を構成するフロントキャビネット（前側筐体）１０２およびリアキャビネット（後側筐体）１０３と、フロントキャビネット１０２に取り付けられたＣＲＴ１０４と、ホルダ（保持部材）１０５と、配線基板１０６と、図示しないＤＶＤ（ディスク）を駆動させるためのＤＶＤ駆動装置（ディスク装置）１０７とを備えている。
【０００５】
また、図６および図７に示すように、フロントキャビネット１０２には、ＣＲＴ１０４の表示領域１０４ａが露出される表示窓１０２ａと、電源などの各種操作ボタンが配置される操作部１０２ｂと、後述するＤＶＤ駆動装置１０７のディスクトレイ１０７ａをフロントキャビネット１０２の外部へ突出させるための開口部１０２ｃとが設けられている。また、開口部１０２ｃには、ＤＶＤ駆動装置１０７のディスクトレイ１０７ａの突出および収納に連動して開閉するドア部材１２１が取り付けられている。また、リアキャビネット１０３は、フロントキャビネット１０２に対して図示しないねじを締め付けることにより、フロントキャビネット１０２に取り付けられている。
【０００６】
また、ＣＲＴ１０４は、図６および図７に示すように、表示領域１０４ａがフロントキャビネット１０２の表示窓１０２ａから露出した状態でフロントキャビネット１０２に取り付けられている。このＣＲＴ１０４は、図７に示すように、表示領域１０４ａと、真空領域を形成するガラス管１０４ｂと、ガラス管１０４ｂに巻き付けられる鉄製の防爆バンド（補強バンド）１０４ｃとを含んでいる。また、防爆バンド１０４ｃは、真空状態のガラス管１０４ｃが破壊により爆発的に収縮するのを防止する機能を有する。
【０００７】
また、図７に示すように、ホルダ１０５には、配線基板１０６とＤＶＤ駆動装置１０７とが取り付けられる。また、ホルダ１０５は、フロントキャビネット１０２およびリアキャビネット１０３により保持されている。また、ＤＶＤ駆動装置１０７は、ディスクトレイ１０７ａと、ディスクトレイ１０７ａが前後方向にスライド可能に取り付けられたＤＶＤ駆動装置本体部（ディスク装置本体）１０７ｂとを含んでいる。また、ディスクトレイ１０７ａは、前後方向にスライドすることにより、フロントキャビネット１０２の開口部１０２ｃを介してフロントキャビネット１０２の外部に突出するとともに、フロントキャビネット１０２の内部に収納されるので、ディスクトレイ１０７ａに配置された図示しないＤＶＤを搬送する機能を有する。また、ＤＶＤ駆動装置本体部７ｂには、ディスクトレイ１０７ａの前方側に上方に突出する一対のリブ部１０７ｃが形成されている。ＤＶＤ駆動装置本体部１０７ｂのリブ部１０７ｃは、ＣＲＴ１０４との高さ方向の位置決め部としての機能を有するとともに、防爆バンド１０４ｃの直下に配置されている。
【０００８】
【特許文献１】特開平８−４６８９４号公報
【特許文献２】実用新案登録第３１０６３８４号公報
【特許文献３】特開平６−７８２４９号公報
【特許文献４】特開２００２−１３５６８４号公報
【考案の開示】
【考案が解決しようとする課題】
【０００９】
しかしながら、図７に示した従来のＤＶＤ一体型テレビジョン１０１では、ＣＲＴ１０４の下端部に位置する防爆バンド１０４ｃの直下にＤＶＤ駆動装置１０７のリブ部１０７ｃが配置されているので、防爆バンド１０４ｃの下端部からＤＶＤ一体型テレビジョン１０１の底面までの距離Ｔ２を小さくするのが困難であった。これにより、ＤＶＤ一体型テレビジョン１０１の高さを小さくするのが困難であるという不都合があった。
【００１０】
また、上記特許文献１、２および４に開示された映像再生装置付きの表示装置では、図６および図７に示した従来のＤＶＤ一体型テレビジョン１０１と異なり、ＣＲＴ１０４との高さ方向の位置決め部としてのリブ部１０７ｃがＤＶＤ駆動装置本体部１０７ｂのディスクトレイ１０７ａの前方側に設けられた構造は開示されていないので、その高さ方向の位置決め部としてのリブ部１０７ｃに起因してＤＶＤ一体型テレビジョン１０１の高さを小さくするのが困難になるという本考案の課題が存在しない。
【００１１】
また、上記特許文献３に開示されたＶＴＲ内蔵テレビジョン装置では、ＶＴＲ内蔵テレビジョン装置の高さを小さくすることが可能である一方、ＶＴＲ挿入部から挿入されたカセットテープをＶＴＲメカ本体部まで搬送するための移送ベルトや一対のプーリなどを含む複雑な構造を有する搬送手段をＶＴＲとは別個に設ける必要があるので、その分、部品点数が増加するとともに構造が複雑化するという問題点がある。
【００１２】
この考案は、上記のような課題を解決するためになされたものであり、この考案の１つの目的は、ディスク装置本体のディスクトレイの前方側に高さ方向の位置決めのためのリブ部が設けられた構造を有する場合に、部品点数の増加および構造の複雑化を抑制しながら、ディスク装置付き表示装置の高さを小さくすることが可能なディスク装置付き表示装置を提供することである。
【課題を解決するための手段および考案の効果】
【００１３】
この考案の第１の局面によるディスク装置付き表示装置は、補強バンドが巻き付けられる陰極線管と、陰極線管の下方に配置され、ディスクが載置されるとともに、水平方向に移動可能なディスクトレイと、ディスクトレイに載置されたディスクを回転駆動するディスク装置本体とを含むディスク装置と、陰極線管が取り付けられる前側筐体と、前側筐体に取り付けられる後側筐体と、ディスク装置を支持する保持部材とを備えたディスク装置付き表示装置において、ディスク装置本体は、ディスクトレイの前方側に設けられて上方に突出するとともに、陰極線管との高さ方向の位置決め部として機能するリブ部を含み、前側筐体および後側筐体の底面には、それぞれ、レール部が形成され、保持部材には、前側筐体および後側筐体のレール部に、それぞれ、係合されるレール係合部が形成され、保持部材のレール係合部が前側筐体および後側筐体のレール部に係合された状態で、後側筐体を前側筐体に取り付けることにより、保持部材に支持されるディスク装置のリブ部が陰極線管の下端部に位置する補強バンドよりも後方に配置され、ディスク装置本体のリブ部の上端部は、補強バンドの下端部よりも高い位置に配置され、補強バンドは、金属製であるとともに、陰極線管を前側筐体に取り付けるための取付部が一体的に形成されている。
【００１４】
この第１の局面によるディスク装置付き表示装置では、上記のように、陰極線管との高さ方向の位置決め部として機能するディスク装置本体のリブ部を、ディスクトレイの前方側に設けるとともに、陰極線管の下端部に位置する補強バンドよりも後方に配置するように構成することによって、ディスク装置本体のリブ部が陰極線管の下端部に位置する補強バンドの下方に配置される場合と異なり、ディスク装置本体のリブ部の上端部を陰極線管の補強バンドの下端部と同じ高さ以上の位置に配置することができるので、ディスク装置をより陰極線管側（上方側）に配置することができる。これにより、陰極線管の下端部に位置する補強バンドからディスク装置付き表示装置の底面までの距離を小さくすることができるので、ディスク装置付き表示装置の高さを小さくすることができる。また、ディスク装置を、ディスクが載置されるとともに、水平方向に移動可能なディスクトレイを含むように構成することによって、ディスクトレイによりディスクがディスク装置本体まで搬送されるので、ディスクをディスク装置本体まで搬送するために複雑な構造を有する搬送手段をディスク装置とは別個に設ける必要がない。その結果、部品点数の増加および構造の複雑化を抑制しながら、ディスク装置付き表示装置の高さを小さくすることができる。また、ディスク装置本体のリブ部の上端部を、補強バンドの下端部よりも高い位置に配置するようにすれば、ディスク装置がより陰極線管側に配置されるので、陰極線管の下端部に位置する補強バンドからディスク装置付き表示装置の底面までの距離をより小さくすることができる。また、前側筐体および後側筐体に、それぞれ、レール部を形成するとともに、保持部材に、前側筐体および後側筐体のレール部に、それぞれ、係合されるレール係合部を形成し、かつ、保持部材のレール係合部が前側筐体および後側筐体のレール部に係合された状態で、後側筐体を前側筐体に取り付けることにより、保持部材に支持されるディスク装置のリブ部が陰極線管の下端部に位置する補強バンドよりも後方に配置されるように構成することによって、レール部およびレール係合部を用いて、容易に、保持部材に支持されるディスク装置のリブ部を陰極線管の下端部に位置する補強バンドよりも後方に配置することができる。また、前側筐体および後側筐体のレール部を、前側筐体および後側筐体の底面に形成することによって、前側筐体および後側筐体の底面から保持部材までの高さを小さくすることができるので、ディスク装置付き表示装置の高さをより小さくすることができる。また、補強バンドを金属製にするとともに、補強バンドに、陰極線管を前側筐体に取り付けるための取付部を一体的に形成することによって、容易に、陰極線管を前側筐体に取り付けることができる。
【００１５】
この考案の第２の局面によるディスク装置付き表示装置は、補強バンドが巻き付けられる陰極線管と、陰極線管の下方に配置され、ディスクが載置されるとともに、水平方向に移動可能なディスクトレイと、ディスクトレイに載置されたディスクを回転駆動するディスク装置本体とを含むディスク装置とを備え、ディスク装置本体は、ディスクトレイの前方側に設けられて上方に突出するとともに、陰極線管との高さ方向の位置決め部として機能するリブ部を含み、ディスク装置本体のリブ部は、陰極線管の下端部に位置する補強バンドよりも後方に配置される。
【００１６】
この第２の局面によるディスク装置付き表示装置では、上記のように、陰極線管との高さ方向の位置決め部として機能するディスク装置本体のリブ部を、ディスクトレイの前方側に設けるとともに、陰極線管の下端部に位置する補強バンドよりも後方に配置するように構成することによって、ディスク装置本体のリブ部が陰極線管の下端部に位置する補強バンドの下方に配置される場合と異なり、ディスク装置本体のリブ部の上端部を陰極線管の補強バンドの下端部と同じ高さ以上の位置に配置することができるので、ディスク装置をより陰極線管側（上方側）に配置することができる。これにより、陰極線管の下端部に位置する補強バンドからディスク装置付き表示装置の底面までの距離を小さくすることができるので、ディスク装置付き表示装置の高さを小さくすることができる。また、ディスク装置を、ディスクが載置されるとともに、水平方向に移動可能なディスクトレイを含むように構成することによって、ディスクトレイによりディスクがディスク装置本体まで搬送されるので、ディスクをディスク装置本体まで搬送するために複雑な構造を有する搬送手段をディスク装置とは別個に設ける必要がない。その結果、部品点数の増加および構造の複雑化を抑制しながら、ディスク装置付き表示装置の高さを小さくすることができる。
【００１７】
この考案の第２の局面によるディスク装置付き表示装置において、好ましくは、ディスク装置本体のリブ部の上端部は、補強バンドの下端部よりも高い位置に配置される。このように構成すれば、ディスク装置がより陰極線管側に配置されるので、陰極線管の下端部に位置する補強バンドからディスク装置付き表示装置の底面までの距離をより小さくすることができる。
【００１８】
この考案の第２の局面によるディスク装置付き表示装置において、好ましくは、陰極線管が取り付けられる前側筐体と、前側筐体に取り付けられる後側筐体と、ディスク装置を支持する保持部材とをさらに備え、前側筐体および後側筐体には、それぞれ、レール部が形成され、保持部材には、前側筐体および後側筐体のレール部に、それぞれ、係合されるレール係合部が形成され、保持部材のレール係合部が前側筐体および後側筐体のレール部に係合された状態で、後側筐体を前側筐体に取り付けることにより、保持部材に支持されるディスク装置のリブ部が陰極線管の下端部に位置する補強バンドよりも後方に配置される。このように構成すれば、レール部およびレール係合部を用いて、容易に、保持部材に支持されるディスク装置のリブ部を陰極線管の下端部に位置する補強バンドよりも後方に配置することができる。
【００１９】
この場合、好ましくは、前側筐体および後側筐体のレール部は、前側筐体および後側筐体の底面に形成されている。このように構成すれば、前側筐体および後側筐体の底面から保持部材までの高さを小さくすることができるので、ディスク装置付き表示装置の高さをより小さくすることができる。
【００２０】
上記前側筐体をさらに備えるディスク装置付き表示装置において、好ましくは、補強バンドは、金属製であるとともに、陰極線管を前側筐体に取り付けるための取付部が一体的に形成されている。このように構成すれば、容易に、陰極線管を前側筐体に取り付けることができる。
【考案を実施するための最良の形態】
【００２１】
以下、本考案を具体化した実施形態を図面に基づいて説明する。
【００２２】
図１は、本考案の一実施形態によるＤＶＤ一体型テレビジョンの全体構成を示した斜視図である。図２は、図１に示した一実施形態によるＤＶＤ一体型テレビジョンの分解斜視図である。図３〜図５は、図１に示した一実施形態によるＤＶＤ一体型テレビジョンの詳細構造を説明するための図である。図１〜図５を参照して、本考案の一実施形態によるＤＶＤ一体型テレビジョンの構造について説明する。なお、本実施形態では、ディスク装置付き表示装置の一例であるＤＶＤ一体型テレビジョンに本考案を適用した場合について説明する。
【００２３】
本考案の一実施形態によるＤＶＤ一体型テレビジョン１は、図１および図２に示すように、ＤＶＤ一体型テレビジョン１の外枠を構成するフロントキャビネット２およびリアキャビネット３と、フロントキャビネット２に取り付けられたＣＲＴ（陰極線管）４と、樹脂製のホルダ５と、テレビジョンを制御するためのメイン配線基板６と、図示しないＤＶＤ（デジタル多用途ディスク）を駆動させるためのＤＶＤ駆動装置７と、シールド部材８と、中継基板９と、ＤＶＤ駆動装置７を制御するためのＤＶＤ用配線基板１０と、ＣＲＴ４を制御するためのＣＲＴ用配線基板１１とを備えている。なお、フロントキャビネット２およびリアキャビネット３は、それぞれ、本考案の「前側筐体」および「後側筐体」の一例である。また、ホルダ５は、本考案の「保持部材」の一例であり、ＤＶＤ駆動装置７は、本考案の「ディスク装置」の一例である。
【００２４】
また、フロントキャビネット２には、図１、図２および図４に示すように、ＣＲＴ４の表示領域４ａが露出される表示窓２ａと、底面２ｂと、底面２ｂに形成された一対のレール部２ｃと、電源などの各種操作ボタンが配置される操作部２ｄと、後述するＤＶＤ駆動装置７のディスクトレイ７ａをフロントキャビネット２の外部へ突出させるための開口部２ｅと、後述するメイン配線基板６の端子接続部６３が配置される端子差込孔２ｆと、メイン配線基板６を保持するための保持用リブ部２ｇ（図４参照）と、ＣＲＴ４を取り付けるためのねじ取付孔２ｈ（図４参照）とが設けられている。また、図１および図２に示すように、フロントキャビネット２の開口部２ｅには、ＤＶＤ駆動装置７のディスクトレイ７ａの突出および収納に連動して開閉するドア部材２１が取り付けられている。
【００２５】
また、リアキャビネット３には、図２に示すように、底面３ａと、底面３ａに形成された一対のレール部３ｂと、メイン配線基板６を保持するための保持用リブ部３ｃとが設けられている。また、リアキャビネット３は、フロントキャビネット２に対して図示しないねじを締め付けることにより、フロントキャビネット２に取り付けられる。
【００２６】
また、ＣＲＴ４は、図１、図２および図４に示すように、表示領域４ａがフロントキャビネット２の表示窓２ａから露出した状態でフロントキャビネット２に取り付けられている。このＣＲＴ４は、表示領域４ａと、電子ビームを発射させる電子銃４ｂと、真空領域を形成するガラス管４ｃと、ガラス管４ｃに巻き付けられる鉄製の防爆バンド４ｄとを含んでいる。また、ＣＲＴ４の防爆バンド４ｄは、帯状に形成されるとともに、ガラス管４ｃに所定の位置で巻き付けらることにより、真空状態のガラス管４ｃが破壊により爆発的に収縮するのを防止する機能を有する。また、ガラス管４ｃに実質的に長方形に巻き付けられた防爆バンド４ｄの４つの角部には、それぞれ、ＣＲＴ４をフロントキャビネット２に取り付けるためのねじ挿入孔４ｅが形成されたねじ取付部４ｆが形成されている。そして、ねじ取付部４ｆのねじ挿入孔４ｅを介してフロントキャビネット２のねじ取付孔２ｈ（図４参照）にねじ５１が取り付けられることにより、ＣＲＴ４がフロントキャビネット２に取り付けられる。また、帯状の防爆バンド４ｄの一方端部４ｇと他方端部４ｈとは、実質的に長方形状のガラス管４ｃの短手方向の一方側面の中央部近傍で重なるように取り付けられている。なお、防爆バンド４ｄは、本考案の「補強バンド」の一例であり、ねじ取付部４ｆは、本考案の「取付部」の一例である。
【００２７】
また、樹脂製のホルダ５は、図２に示すように、フロントキャビネット２の一対のレール部２ｃおよびリアキャビネット３の一対のレール部３ｂと係合する４つのレール係合部５ａと、中継基板９を垂直方向にガイドするガイド部５ｂと、メイン配線基板６を取り付けるためのねじ取付孔５ｃと、ＤＶＤ駆動装置７を取り付けるためのねじ取付孔５ｄとを含んでいる。また、ホルダ５のレール係合部５ａは、フロントキャビネット２とリアキャビネット３とが組み立てられた際に、フロントキャビネット２のレール部２ｃおよびリアキャビネット３のレール部３ｂと係合することにより、ホルダ５がフロントキャビネット２およびリアキャビネット３に取り付けられるように構成されている。また、メイン配線基板６は、リアキャビネット３がフロントキャビネット２に取り付けられた際に、フロントキャビネット２の保持用リブ部２ｇおよびリアキャビネット３の保持用リブ部３ｃに保持されるように構成されている。
【００２８】
また、テレビジョンを制御するためのメイン配線基板６は、図２および図３に示すように、開口部６ａと、メイン配線基板６をホルダ５に取り付けるためのねじ挿入孔６ｂと、ＤＶＤ駆動装置７をホルダ５に取り付けるためのねじ挿入孔６ｃと、後述する中継基板９の端子９ａが挿入される端子接続孔６ｄと、ホルダ５のガイド部５ｂが配置されるガイド部挿入孔６ｅとを含んでいる。また、メイン配線基板６には、アンテナ線を差し込むアンテナ差込部６１と、ＣＲＴ４に高電圧を供給するフライバックトランス（Ｆｌｙ  Ｂａｃｋ  Ｔｒａｎｓｆｏｒｍｅｒ）６２と、他の機器との接続の際に使用する端子接続部６３とが取り付けられている。また、ねじ挿入孔６ｂを介してホルダ５のねじ取付孔５ｃにねじ５２が取り付けられることにより、メイン配線基板６がホルダ５に取り付けられる。
【００２９】
また、ＤＶＤ駆動装置７は、図２および図３に示すように、ディスクトレイ７ａと、ディスクトレイ７ａが前後方向にスライド可能に取り付けられたＤＶＤ駆動装置本体部７ｂとを含んでいる。また、ディスクトレイ７ａは、前後方向にスライドすることにより、フロントキャビネット２の開口部２ｅを介してフロントキャビネット２の外部に突出するとともに、フロントキャビネット２の内部に収納されるので、ディスクトレイ７ａに配置された図示しないＤＶＤを搬送する機能を有する。また、ＤＶＤ駆動装置本体部７ｂには、ＤＶＤ駆動装置７をホルダ５に取り付けるためのねじ挿入孔７ｃおよびねじ挿入用切欠７ｄと、シールド部材８を取り付けるためのねじ取付孔７ｅと、ディスクトレイ７ａの前方側に設けられ、上方に突出する一対のリブ部７ｆとが形成されている。このリブ部７ｆは、ＣＲＴ４との高さ方向の位置決め部として機能する。そして、ねじ挿入孔７ｃおよびねじ挿入用切欠７ｄとメイン配線基板６のねじ挿入孔６ｃとを介してホルダ５のねじ取付孔５ｄにねじ５３が取り付けられることにより、ＤＶＤ駆動装置７がホルダ５に取り付けられる。また、ＤＶＤ駆動装置７の駆動時には、ＤＶＤ駆動装置本体部７ｂのピックアップ駆動部（図示せず）がメイン配線基板６の開口部６ａに配置されるように構成されている。なお、ＤＶＤ駆動装置本体部７ｂは、本考案の「ディスク装置本体」の一例である。
【００３０】
ここで、本実施形態では、図５に示すように、ＤＶＤ駆動装置本体部７ｂのディスクトレイ７ａの前方側に形成されているリブ部７ｆは、ＣＲＴ４の防爆バンド４ｄよりも距離Ｌ１だけ後方に配置されている。また、ＤＶＤ駆動装置本体部７ｂのリブ部７ｆの上端部は、ＣＲＴ４の防爆バンド４ｄの下端部よりも高い位置に配置されている。
【００３１】
また、シールド部材８は、図２および図３に示すように、シールド部材８をＤＶＤ駆動装置７に取り付けるためのねじ挿入孔８ａと、ＤＶＤ用配線基板１０をシールド部材８に取り付けるためのねじ取付孔８ｂと、ＤＶＤ用配線基板１０を保持するための保持用リブ部８ｃとを含んでいる。そして、ねじ挿入孔８ａを介してＤＶＤ駆動装置７のねじ取付孔７ｅにねじ５４が取り付けられることにより、シールド部材８がＤＶＤ駆動装置７に取り付けられる。
【００３２】
また、中継基板９は、図２〜図４に示すように、端子９ａと、後述するＤＶＤ用配線基板１０の端子１０ａが挿入される端子接続孔９ｂとを含んでいる。そして、中継基板９の端子９ａがメイン配線基板６の端子接続孔６ｄに挿入された状態で半田付けされることにより、中継基板９とメイン配線基板６とが電気的に接続される。また、中継基板９は、中継基板９の長手方向の両側面の下端部が、メイン配線基板６のガイド部挿入孔６ｅに配置されるホルダ５のガイド部５ｂにガイドされることにより、垂直方向に延びるようにメイン配線基板６に取り付けられる。
【００３３】
また、ＤＶＤ駆動装置７を制御するためのＤＶＤ用配線基板１０は、図２〜図４に示すように、端子１０ａと、ＤＶＤ用配線基板１０をシールド部材８に取り付けるためのねじ挿入孔１０ｂとを含んでいる。そして、ＤＶＤ用配線基板１０の端子１０ａが中継基板９の端子接続孔９ｂに挿入された状態で半田付けされることにより、ＤＶＤ用配線基板１０と中継基板９とが電気的に接続される。また、ねじ挿入孔１０ｂを介してシールド部材８のねじ取付孔８ｂにねじ５５が取り付けられることにより、ＤＶＤ用配線基板１０がシールド部材８に取り付けられる。また、ＤＶＤ用配線基板１０の長手方向の一方側面の端部近傍は、シールド部材８の保持用リブ部８ｃにより保持されている。
【００３４】
また、ＣＲＴ４を制御するためのＣＲＴ用配線基板１１には、図２および図４に示すように、ＣＲＴ４に接続される取付部１１ａが取り付けられる。また、ＣＲＴ用配線基板１１は、メイン配線基板６に取り付けられたフライバックトランス６２とケーブル６２ａにより接続されている。
【００３５】
本実施形態では、上記のように、ＣＲＴ４との高さ方向の位置決め部として機能するＤＶＤ駆動装置本体部７ｂのリブ部７ｆを、ディスクトレイ７ａの前方側に設けるとともに、ＣＲＴ４の下端部に位置する防爆バンド４ｄよりも距離Ｌ１だけ後方に配置するように構成することによって、ディスク装置本体のリブ部が陰極線管の下端部に位置する補強バンドの下方に配置される場合と異なり、ＤＶＤ駆動装置本体部７ｂのリブ部７ｆの上端部をＣＲＴ４の防爆バンド４ｄの下端部と同じ高さ以上の位置に配置することができるので、ＤＶＤ駆動装置７をよりＣＲＴ４側（上方側）に配置することができる。これにより、ＣＲＴ４の下端部に位置する防爆バンド４ｄからフロントキャビネット２の底面２ｂまでの距離Ｔ１を小さくすることができるので、ＤＶＤ一体型テレビジョン１の高さを小さくすることができる。また、ＤＶＤ駆動装置７を、図示しないＤＶＤが載置されるとともに、水平方向に移動可能なディスクトレイ７ａを含むように構成することによって、ディスクトレイ７ａによりＤＶＤがＤＶＤ駆動装置本体部７ｂまで搬送されるので、ＤＶＤをＤＶＤ駆動装置本体部７ｂまで搬送するために複雑な構造を有する搬送手段をＤＶＤ駆動装置本体部７ｂとは別個に設ける必要がない。その結果、部品点数の増加および構造の複雑化を抑制しながら、ＤＶＤ一体型テレビジョン１の高さを小さくすることができる。
【００３６】
また、本実施形態では、ＤＶＤ駆動装置本体部７ｂのリブ部７ｆの上端部を、防爆バンド４ｄの下端部よりも高い位置に配置することによって、ＤＶＤ駆動装置７がよりＣＲＴ４側に配置されるので、ＣＲＴ４の下端部に位置する防爆バンド４ｄからフロントキャビネット２の底面２ｂまでの距離Ｔ１をより小さくすることができる。
【００３７】
また、本実施形態では、フロントキャビネット２およびリアキャビネット３に、それぞれ、レール部２ｃおよび３ｂを形成するとともに、ホルダ５に、フロントキャビネット２のレール部２ｃおよびリアキャビネット３のレール部３ｂに、それぞれ、係合されるレール係合部５ａを形成し、かつ、ホルダ５のレール係合部５ａがフロントキャビネット２のレール部２ｃおよびリアキャビネット３のレール部３ｂに係合された状態で、リアキャビネット３をフロントキャビネット２に取り付けることによって、容易に、ホルダ５に支持されるＤＶＤ駆動装置７のリブ部７ｆをＣＲＴ４の下端部に位置する防爆バンド４ｄよりも距離Ｌ１だけ後方に配置することができる。
【００３８】
また、本実施形態では、フロントキャビネット２のレール部２ｃおよびリアキャビネット３のレール部３ｂを、フロントキャビネット２の底面２ｂおよびリアキャビネット３の底面３ａに形成することによって、フロントキャビネット２の底面２ｂおよびリアキャビネット３の底面３ａからホルダ５までの高さを小さくすることができるので、ＤＶＤ一体型テレビジョン１の高さをより小さくすることができる。
【００３９】
また、本実施形態では、防爆バンド４ｄを金属製にするとともに、防爆バンド４ｄに、ＣＲＴ４をフロントキャビネット２に取り付けるためのねじ取付部４ｆを一体的に形成することによって、容易に、ＣＲＴ４をフロントキャビネット２に取り付けることができる。
【００４０】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００４１】
たとえば、上記実施形態では、ＤＶＤ駆動装置のリブ部の上端部がＣＲＴの防爆バンド（補強バンド）の下端部よりも高い位置に配置される例を示したが、本考案はこれに限らず、ＤＶＤ駆動装置のリブ部の上端部がＣＲＴの防爆バンドの下端部と実質的に同じ高さに配置されるようにしてもよい。
【００４２】
また、上記実施形態では、ＤＶＤ駆動装置を支持するホルダをフロントキャビネットおよびリアキャビネットに取り付けることにより、ＤＶＤ駆動装置を所定の位置に配置する例を示したが、本考案はこれに限らず、ホルダを省略してＤＶＤ駆動装置をフロントキャビネットおよびリアキャビネットのうちのいずれか一方、または、フロントキャビネットおよびリアキャビネットの両方に直接取り付けるようにしてもよい。
【００４３】
また、上記実施形態では、フロントキャビネットおよびリアキャビネットの底面に、それぞれ、レール部を形成する例を示したが、本考案はこれに限らず、フロントキャビネットおよびリアキャビネットの両側面に、それぞれ、レール部を形成するようにしてもよい。
【００４４】
また、上記実施形態では、ＣＲＴの防爆バンド（補強バンド）に４つのねじ取付部を一体的に設ける例を示したが、本考案はこれに限らず、防爆バンドに３つ以下、または、５つ以上のねじ取付部を一体的に設けるようにしてもよい。
【図面の簡単な説明】
【００４５】
【図１】本考案の一実施形態によるＤＶＤ一体型テレビジョンの全体構成を示した斜視図である。
【図２】図１に示した一実施形態によるＤＶＤ一体型テレビジョンの分解斜視図である。
【図３】図１に示した一実施形態によるＤＶＤ一体型テレビジョンのＤＶＤ駆動装置をホルダに取り付けた状態を示した斜視図である。
【図４】図１に示した一実施形態によるＤＶＤ一体型テレビジョンのリアキャビネットを取り外した状態を示した正面図である。
【図５】図１に示した一実施形態によるＤＶＤ一体型テレビジョンの模式図である。
【図６】従来のＤＶＤ一体型テレビジョンの全体構成を示した斜視図である。
【図７】図６に示した従来のＤＶＤ一体型テレビジョンの模式図である。
【符号の説明】
【００４６】
１  ＤＶＤ一体型テレビジョン（ディスク装置付き表示装置）
２  フロントキャビネット（前側筐体）
２ｂ  底面
２ｃ  レール部
３  リアキャビネット（後側筐体）
３ａ  底面
３ｂ  レール部
４  ＣＲＴ（陰極線管）
４ｄ  防爆バンド（補強バンド）
４ｆ  ねじ取付部（取付部）
５  ホルダ（保持部材）
５ａ  レール係合部
７  ＤＶＤ駆動装置（ディスク装置）
７ａ  ディスクトレイ
７ｂ  ＤＶＤ駆動装置本体部（ディスク装置本体）
７ｆ  リブ部
【図１】
0003120055.tif 000003
【図２】
0003120055.tif 000004
【図３】
0003120055.tif 000005
【図４】
0003120055.tif 000006
【図５】
0003120055.tif 000007
【図６】
0003120055.tif 000008
【図７】
0003120055.tif 000009